【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
光学特性をプログラム可能なレンズユニットを備えたカメラであって、
前記レンズユニットの光軸上に配置された複数の光学素子と、
前記レンズユニット内における前記複数の光学素子の状態を電子制御によって変化させることで、前記レンズユニット全体の光路に関する光学特性を変化させる電子制御手段と、
撮影時における前記レンズユニット全体の光路に関する光学特性が、前記電子制御手段によって変化させることの可能な全範囲のうちの一部の範囲に収まるように、前記複数の光学素子の状態を制御することを指示する指示手段と、
撮影時において、前記指示手段による指示に基づいて、前記レンズユニット全体の光路に関する光学特性が前記電子制御手段によって変化させることの可能な全範囲のうちの一部の範囲に収まるように、前記電子制御手段により変化させる前記複数の光学素子の状態を制御する撮影制御手段と、
を備えたことを特徴とするカメラ。
【請求項２】
前記レンズユニット全体の光路に関する光学特性は、レンズユニット全体における、焦点距離、フォーカス位置、光路特性、収差特性、スポットダイアグラム特性、ＭＴＦ特性、ＯＴＦ特性、のうちの１または複数の光学特性を含むことを特徴とする請求項１記載のカメラ。
【請求項３】
前記電子制御手段は、前記レンズユニット内における前記光学素子の光軸上の位置または前記光学素子の単体の焦点距離のうちの１または複数の状態を電子制御によって変化させることを特徴とする請求項１記載のカメラ。
【請求項４】
前記電子制御手段は、各光学素子の状態を個別に変化させることを特徴とする請求項１記載のカメラ。
【請求項５】
前記指示手段は、ユーザーの指示操作に応じて、前記レンズユニット全体の光路に関する複数の光学特性のうち、少なくとも第１の光学特性が所定の条件を満たすように前記複数の光学素子の状態を制御することを指示し、
前記撮影制御手段は、少なくとも前記指示手段により指示された前記第１の光学特性が前記所定の条件を満たすように前記複数の光学素子の状態を制御することを特徴とする請求項１記載のカメラ。
【請求項６】
前記指示手段は、前記レンズユニット全体の光路に関する複数の光学特性のうちの第１の光学特性を撮影時において逐次取得される要求情報に応じて変化させるとともに第２の光学特性の変化を制限するような条件を満たすように前記複数の光学素子の状態を制御することを指示し、
前記撮影制御手段は、前記指示手段による指示に基づいて、前記第１の光学特性を、撮影時において逐次取得される要求情報に応じて変化させるとともに第２の光学特性の変化を制限するように前記複数の光学素子の状態を制御することを特徴とする請求項１記載のカメラ。
【請求項７】
撮影時において被写体の状態を逐次計測する計測部を備え、
前記要求情報は、前記計測部により計測された被写体の状態に応じて要求される光学特性を指定する情報であることを特徴とする請求項６記載のカメラ。
【請求項８】
撮影時においてユーザーからの指示操作を逐次受ける操作部を備え、
前記要求情報は、前記操作部により受けたユーザーの指示操作に応じて要求される光学特性を指定する情報であることを特徴とする請求項６記載のカメラ。
【請求項９】
前記複数の光学素子の状態を規定する任意のレンズ設計データをユーザーに指定させる指定手段と、
前記指定手段により指定されたレンズ設計データに対応して、前記レンズユニット全体の光路に関する所定の光学特性の状態を算出する算出手段と、
前記算出手段により算出された前記所定の光学特性の状態を表示する表示手段と、
を備え、
前記指示手段は、前記表示手段により表示された前記所定の光学特性の状態が、撮影時における光学特性の状態として選択された場合に、前記指定手段により指定されたレンズ設計データに基づいて前記複数の光学素子の状態を制御することを指示することを特徴とする請求項１記載のカメラ。
【請求項１０】
前記算出手段は、前記レンズ設計データに対応する前記レンズユニット全体の光路に関する所定の光学特性の状態をシミュレーション演算により算出し、
前記表示手段は、前記算出手段によるシミュレーション演算の結果を表示することを特徴とする請求項９記載のカメラ。
【請求項１１】
前記算出手段および前記表示手段は、光線追跡のシミュレーション演算による光跡図の表示、収差特性のシミュレーション演算による収差図の表示、スポットダイアグラム特性のシミュレーション演算によるスポットダイアグラム図の表示、ＭＴＦ特性のシミュレーション演算によるＭＴＦ図の表示、ＯＴＦ特性のシミュレーション演算によるＯＴＦ図の表示、のうちの１または複数を行なうことを特徴とする請求項１０記載のカメラ。
【請求項１２】
前記表示手段は、前記指定手段により指定されたレンズ設計データに対応した前記複数の光学素子の状態を示す設計図を表示するとともに、この設計図上に前記シミュレーション演算の結果を表示させることを特徴とする請求項１０記載のカメラ。
【請求項１３】
前記指示手段は、前記レンズユニット全体の光路に関する光学特性の１つである焦点距離を他の光学特性である合焦位置とは独立して変化させる場合に、この焦点距離の変化が所定の条件を満たすように前記複数の光学素子の状態を制御することを指示し、
前記撮影制御手段は、前記指示手段の指示に従って前記焦点距離の変化が前記所定の条件を満たすように前記複数の光学素子の状態を制御することを特徴とする請求項１記載のカメラ。
【請求項１４】
前記指示手段は、前記レンズユニットをズームレンズとして機能させる場合における前記焦点距離の変化が所定のアフォーカル倍率を有することを指示することを特徴とする請求項１３記載のカメラ。
【請求項１５】
前記電子制御手段は、前記レンズユニット内における各光学素子の光軸上の位置および各光学素子の単体の焦点距離を含む複数のレンズ設計パラメータを電子制御によって変化させることができ、
前記撮影制御手段は、撮影時においては、前記指示手段による指示に基づいて、前記複数のレンズ設計パラメータのうちの第１のレンズ設計パラメータの状態を固定し、第２のレンズ設計パラメータの状態を変化させることで、前記第１の光学特性を逐次取得される要求情報に応じて変化させるとともに第２の光学特性の変化を制限することを特徴とする請求項６記載のカメラ。
【請求項１６】
前記撮影制御手段は、撮影時においては、前記指示手段による指示に基づいて、各光学素子の光軸上の位置を固定し、各光学素子の単体の焦点距離だけを前記電子制御手段により変化させることを特徴とする請求項１５記載のカメラ。
【請求項１７】
前記レンズユニットの光軸上に配置された複数の光学素子は、前記電子制御手段により焦点距離を変化させることができる可変焦点レンズと、前記電子制御手段により焦点距離を変化させることができない固定焦点レンズの２種類の光学素子により構成されることを特徴とする請求項１記載のカメラ。
【請求項１８】
前記レンズユニットの光軸上に配置された光学素子は、光学素子の内部に液体が充填された構造を有し、光学素子の内部の液体の形状を前記電子制御手段により変形させることにより焦点距離を変化させることができる可変焦点レンズであることを特徴とする請求項１記載のカメラ。
【請求項１９】
前記液体が充填された光学素子は、その光軸が鉛直方向を向くように配置され、
前記レンズユニットは、水平方向より入射される被写体光を前記液体が充填された光学素子に導くために、光軸を曲げる光学素子を有することを特徴とする請求項１８記載のカメラ。
【請求項２０】
前記液体が充填された光学素子は、
２枚の透明板の間を屈折率の異なる２種の流体で満たし、この２種の流体間の界面を光学面として機能させるものであり、この光学面の形状を前記電子制御手段により変化させることにより焦点距離を変化させることができる可変焦点レンズであることを特徴とする請求項１８記載のカメラ。
【請求項２１】
被写体からの光量を測定する測光センサと、前記光学素子群から被写体までの距離を測定する測距センサとを備え、
前記撮影制御手段は、前記測光センサ及び前記測距センサによる測定結果に基づいて、前記レンズユニットの光学特性を補正することを特徴とする請求項１記載のカメラ。
【請求項２２】
画像のコントラストを算出する画像信号処理部を備え、
前記撮影制御手段は、画像信号処理部により算出されたコントラストに基づいて、前記レンズユニットの光学特性を補正することを特徴とする請求項１記載のカメラ。
【請求項２３】
光学特性をプログラム可能なレンズユニットであって、
当該レンズユニットをカメラ装置に対して着脱可能とする着脱手段と、
当該レンズユニットの光軸上に配置された複数の光学素子と、
当該レンズユニット内における前記複数の光学素子の状態を電子制御によって変化させることで、当該レンズユニット全体の光学特性を変化させる電子制御手段と、
撮影時において、当該レンズユニット全体の光路に関する複数の光学特性のうちの指定された光学特性が、前記電子制御手段によって変化させることの可能な全範囲の中で指定された範囲内に収まるように、前記複数の光学素子の状態を制御する指示を受ける指示手段と、
撮影時において、前記指示手段により指定された光学特性が前記指示手段により指定された範囲内に収まるように、前記電子制御手段により変化させる前記複数の光学素子の状態を制御する撮影制御手段と、
を備えたことを特徴とするレンズユニット。
【請求項２４】
前記カメラ装置に装着された状態で該カメラ装置と通信する通信手段を備え、
前記指示手段は、前記通信手段により前記カメラ装置から前記複数の光学素子の状態を制御する指示を受けることを特徴とする請求項２３記載のレンズユニット。
【請求項２５】
請求項２３または２４に記載のレンズユニットを備えることを特徴とする光学機器。
【請求項２６】
複数の光学素子が光軸上に配置され、各々の光学素子の状態を電子制御手段によって個別に変化させることの可能なレンズユニットの光路に関する光学特性を制御するカメラであって、
撮影時における前記レンズユニット全体の光路に関する複数の光学特性のうちの指定された光学特性が、前記電子制御手段によって変化させることの可能な全範囲のうちの一部の範囲に収まるように、前記複数の光学素子の状態を制御することを指示する指示手段と、
撮影時において、前記指示手段により指示された光学特性が前記指示手段により指示された範囲内に収まるように、前記電子制御手段により変化させる前記複数の光学素子の状態を制御する撮影制御手段と、
を備えたことを特徴とするカメラ。
【請求項２７】
複数の光学素子が光軸上に配置され、各々の光学素子の状態を電子制御手段によって個別に変化させることの可能なカメラの光路に関する光学特性を制御するプログラムであって、
前記カメラを、
撮影時における前記レンズユニット全体の光路に関する複数の光学特性のうちの指定された光学特性が、前記電子制御手段によって変化させることの可能な全範囲のうちの一部の範囲に収まるように、前記複数の光学素子の状態を制御する指示を受ける指示手段と、
撮影時において、前記指示手段により指示された光学特性が前記指示手段により指示された範囲内に収まるように、前記電子制御手段により変化させる前記複数の光学素子の状態を制御する撮影制御手段と、
して機能させることを特徴とするプログラム。
【手続補正２】
【補正対象書類名】明細書
【補正対象項目名】発明の名称
【補正方法】変更
【補正の内容】
【発明の名称】レンズユニット、カメラ、光学機器、およびプログラム
【手続補正３】
【補正対象書類名】明細書
【補正対象項目名】０００１
【補正方法】変更
【補正の内容】
【０００１】
本発明は、複数のレンズを備えるレンズユニットと、このレンズユニットを制御するカメラ及び光学機器と、このカメラを制御するプログラムに関する。
【手続補正４】
【補正対象書類名】明細書
【補正対象項目名】０００５
【補正方法】変更
【補正の内容】
【０００５】
本発明の課題は、所望の光学特性を容易に得ることができるレンズユニット、カメラ及び光学機器と、このカメラを制御するプログラムを提供することである。
【手続補正５】
【補正対象書類名】明細書
【補正対象項目名】０００６
【補正方法】変更
【補正の内容】
【０００６】
請求項１記載の発明は、光学特性をプログラム可能なレンズユニットを備えたカメラであって、
前記レンズユニットの光軸上に配置された複数の光学素子と、
前記レンズユニット内における前記複数の光学素子の状態を電子制御によって変化させることで、前記レンズユニット全体の光路に関する光学特性を変化させる電子制御手段と、
撮影時における前記レンズユニット全体の光路に関する光学特性が、前記電子制御手段によって変化させることの可能な全範囲のうちの一部の範囲に収まるように、前記複数の光学素子の状態を制御することを指示する指示手段と、
撮影時において、前記指示手段による指示に基づいて、前記レンズユニット全体の光路に関する光学特性が前記電子制御手段によって変化させることの可能な全範囲のうちの一部の範囲に収まるように、前記電子制御手段により変化させる前記複数の光学素子の状態を制御する撮影制御手段と、
を備えたことを特徴とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
請求項２記載の発明は、請求項１記載のカメラにおいて、
前記レンズユニット全体の光路に関する光学特性は、レンズユニット全体における、焦点距離、フォーカス位置、光路特性、収差特性、スポットダイアグラム特性、ＭＴＦ特性、ＯＴＦ特性、のうちの１または複数の光学特性を含むことを特徴とする。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
請求項３記載の発明は、請求項１記載のカメラにおいて、
前記電子制御手段は、前記レンズユニット内における前記光学素子の光軸上の位置または前記光学素子の単体の焦点距離のうちの１または複数の状態を電子制御によって変化させることを特徴とする。
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】変更
【補正の内容】
【００１３】
請求項４記載の発明は、請求項１記載のカメラにおいて、
前記電子制御手段は、各光学素子の状態を個別に変化させることを特徴とする。
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】変更
【補正の内容】
【００１５】
請求項５記載の発明は、請求項１記載のカメラにおいて、
前記指示手段は、ユーザーの指示操作に応じて、前記レンズユニット全体の光路に関する複数の光学特性のうち、少なくとも第１の光学特性が所定の条件を満たすように前記複数の光学素子の状態を制御することを指示し、
前記撮影制御手段は、少なくとも前記指示手段により指示された前記第１の光学特性が前記所定の条件を満たすように前記複数の光学素子の状態を制御することを特徴とする。
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】変更
【補正の内容】
【００１７】
請求項６記載の発明は、請求項１記載のカメラにおいて、
前記指示手段は、前記レンズユニット全体の光路に関する複数の光学特性のうちの第１の光学特性を撮影時において逐次取得される要求情報に応じて変化させるとともに第２の光学特性の変化を制限するような条件を満たすように前記複数の光学素子の状態を制御することを指示し、
前記撮影制御手段は、前記指示手段による指示に基づいて、前記第１の光学特性を、撮影時において逐次取得される要求情報に応じて変化させるとともに第２の光学特性の変化を制限するように前記複数の光学素子の状態を制御することを特徴とする。
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】変更
【補正の内容】
【００１９】
請求項７記載の発明は、請求項６記載のカメラにおいて、
撮影時において被写体の状態を逐次計測する計測部を備え、
前記要求情報は、前記計測部により計測された被写体の状態に応じて要求される光学特性を指定する情報であることを特徴とする。
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】変更
【補正の内容】
【００２１】
請求項８記載の発明は、請求項６記載のカメラにおいて、
撮影時においてユーザーからの指示操作を逐次受ける操作部を備え、
前記要求情報は、前記操作部により受けたユーザーの指示操作に応じて要求される光学特性を指定する情報であることを特徴とする。
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】変更
【補正の内容】
【００２３】
請求項９記載の発明は、請求項１記載のカメラにおいて、
前記複数の光学素子の状態を規定する任意のレンズ設計データをユーザーに指定させる指定手段と、
前記指定手段により指定されたレンズ設計データに対応して、前記レンズユニット全体の光路に関する所定の光学特性の状態を算出する算出手段と、
前記算出手段により算出された前記所定の光学特性の状態を表示する表示手段と、
を備え、
前記指示手段は、前記表示手段により表示された前記所定の光学特性の状態が、撮影時における光学特性の状態として選択された場合に、前記指定手段により指定されたレンズ設計データに基づいて前記複数の光学素子の状態を制御することを指示することを特徴とする。
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】変更
【補正の内容】
【００２５】
請求項１０記載の発明は、請求項９記載のカメラにおいて、
前記算出手段は、前記レンズ設計データに対応する前記レンズユニット全体の光路に関する所定の光学特性の状態をシミュレーション演算により算出し、
前記表示手段は、前記算出手段によるシミュレーション演算の結果を表示することを特徴とする。
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】変更
【補正の内容】
【００２７】
請求項１１記載の発明は、請求項１０記載のカメラにおいて、
前記算出手段および前記表示手段は、光線追跡のシミュレーション演算による光跡図の表示、収差特性のシミュレーション演算による収差図の表示、スポットダイアグラム特性のシミュレーション演算によるスポットダイアグラム図の表示、ＭＴＦ特性のシミュレーション演算によるＭＴＦ図の表示、ＯＴＦ特性のシミュレーション演算によるＯＴＦ図の表示、のうちの１または複数を行なうことを特徴とする。
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】変更
【補正の内容】
【００２９】
請求項１２記載の発明は、請求項１０記載のカメラにおいて、
前記表示手段は、前記指定手段により指定されたレンズ設計データに対応した前記複数の光学素子の状態を示す設計図を表示するとともに、この設計図上に前記シミュレーション演算の結果を表示させることを特徴とする。
【手続補正２９】
【補正対象書類名】明細書
【補正対象項目名】００３０
【補正方法】削除
【補正の内容】
【手続補正３０】
【補正対象書類名】明細書
【補正対象項目名】００３１
【補正方法】変更
【補正の内容】
【００３１】
請求項１３記載の発明は、請求項１記載のカメラにおいて、
前記指示手段は、前記レンズユニット全体の光路に関する光学特性の１つである焦点距離を他の光学特性である合焦位置とは独立して変化させる場合に、この焦点距離の変化が所定の条件を満たすように前記複数の光学素子の状態を制御することを指示し、
前記撮影制御手段は、前記指示手段の指示に従って前記焦点距離の変化が前記所定の条件を満たすように前記複数の光学素子の状態を制御することを特徴とする。
【手続補正３１】
【補正対象書類名】明細書
【補正対象項目名】００３２
【補正方法】削除
【補正の内容】
【手続補正３２】
【補正対象書類名】明細書
【補正対象項目名】００３３
【補正方法】変更
【補正の内容】
【００３３】
請求項１４記載の発明は、請求項１３記載のカメラにおいて、
前記指示手段は、前記レンズユニットをズームレンズとして機能させる場合における前記焦点距離の変化が所定のアフォーカル倍率を有することを指示することを特徴とする。
【手続補正３３】
【補正対象書類名】明細書
【補正対象項目名】００３４
【補正方法】削除
【補正の内容】
【手続補正３４】
【補正対象書類名】明細書
【補正対象項目名】００３５
【補正方法】変更
【補正の内容】
【００３５】
請求項１５記載の発明は、請求項６記載のカメラにおいて、
前記電子制御手段は、前記レンズユニット内における各光学素子の光軸上の位置および各光学素子の単体の焦点距離を含む複数のレンズ設計パラメータを電子制御によって変化させることができ、
前記撮影制御手段は、撮影時においては、前記指示手段による指示に基づいて、前記複数のレンズ設計パラメータのうちの第１のレンズ設計パラメータの状態を固定し、第２のレンズ設計パラメータの状態を変化させることで、前記第１の光学特性を逐次取得される要求情報に応じて変化させるとともに第２の光学特性の変化を制限することを特徴とする。
【手続補正３５】
【補正対象書類名】明細書
【補正対象項目名】００３６
【補正方法】削除
【補正の内容】
【手続補正３６】
【補正対象書類名】明細書
【補正対象項目名】００３７
【補正方法】変更
【補正の内容】
【００３７】
請求項１６記載の発明は、請求項１５記載のカメラにおいて、
前記撮影制御手段は、撮影時においては、前記指示手段による指示に基づいて、各光学素子の光軸上の位置を固定し、各光学素子の単体の焦点距離だけを前記電子制御手段により変化させることを特徴とする。
【手続補正３７】
【補正対象書類名】明細書
【補正対象項目名】００３８
【補正方法】削除
【補正の内容】
【手続補正３８】
【補正対象書類名】明細書
【補正対象項目名】００３９
【補正方法】変更
【補正の内容】
【００３９】
請求項１７記載の発明は、請求項１記載のカメラにおいて、
前記レンズユニットの光軸上に配置された複数の光学素子は、前記電子制御手段により焦点距離を変化させることができる可変焦点レンズと、前記電子制御手段により焦点距離を変化させることができない固定焦点レンズの２種類の光学素子により構成されることを特徴とする。
【手続補正３９】
【補正対象書類名】明細書
【補正対象項目名】００４０
【補正方法】削除
【補正の内容】
【手続補正４０】
【補正対象書類名】明細書
【補正対象項目名】００４１
【補正方法】変更
【補正の内容】
【００４１】
請求項１８記載の発明は、請求項１記載のカメラにおいて、
前記レンズユニットの光軸上に配置された光学素子は、光学素子の内部に液体が充填された構造を有し、光学素子の内部の液体の形状を前記電子制御手段により変形させることにより焦点距離を変化させることができる可変焦点レンズであることを特徴とする。
【手続補正４１】
【補正対象書類名】明細書
【補正対象項目名】００４２
【補正方法】変更
【補正の内容】
【００４２】
請求項１９記載の発明は、請求項１８記載のカメラにおいて、
前記液体が充填された光学素子は、その光軸が鉛直方向を向くように配置され、
前記レンズユニットは、水平方向より入射される被写体光を前記液体が充填された光学素子に導くために、光軸を曲げる光学素子を有することを特徴とする。
【手続補正４２】
【補正対象書類名】明細書
【補正対象項目名】００４３
【補正方法】変更
【補正の内容】
【００４３】
請求項２０記載の発明は、請求項１８記載のカメラにおいて、
前記液体が充填された光学素子は、
２枚の透明板の間を屈折率の異なる２種の流体で満たし、この２種の流体間の界面を光学面として機能させるものであり、この光学面の形状を前記電子制御手段により変化させることにより焦点距離を変化させることができる可変焦点レンズであることを特徴とする。
【手続補正４３】
【補正対象書類名】明細書
【補正対象項目名】００４４
【補正方法】変更
【補正の内容】
【００４４】
請求項２１記載の発明は、請求項１記載のカメラにおいて、
被写体からの光量を測定する測光センサと、前記光学素子群から被写体までの距離を測定する測距センサとを備え、
前記撮影制御手段は、前記測光センサ及び前記測距センサによる測定結果に基づいて、前記レンズユニットの光学特性を補正することを特徴とする。
【手続補正４４】
【補正対象書類名】明細書
【補正対象項目名】００４５
【補正方法】変更
【補正の内容】
【００４５】
請求項２２記載の発明は、請求項１記載のカメラにおいて、
画像のコントラストを算出する画像信号処理部を備え、
前記撮影制御手段は、画像信号処理部により算出されたコントラストに基づいて、前記レンズユニットの光学特性を補正することを特徴とする。
【手続補正４５】
【補正対象書類名】明細書
【補正対象項目名】００４６
【補正方法】変更
【補正の内容】
【００４６】
請求項２３記載の発明は、光学特性をプログラム可能なレンズユニットであって、
当該レンズユニットをカメラ装置に対して着脱可能とする着脱手段と、
当該レンズユニットの光軸上に配置された複数の光学素子と、
当該レンズユニット内における前記複数の光学素子の状態を電子制御によって変化させることで、当該レンズユニット全体の光学特性を変化させる電子制御手段と、
撮影時において、当該レンズユニット全体の光路に関する複数の光学特性のうちの指定された光学特性が、前記電子制御手段によって変化させることの可能な全範囲の中で指定された範囲内に収まるように、前記複数の光学素子の状態を制御する指示を受ける指示手段と、
撮影時において、前記指示手段により指定された光学特性が前記指示手段により指定された範囲内に収まるように、前記電子制御手段により変化させる前記複数の光学素子の状態を制御する撮影制御手段と、
を備えたことを特徴とする。
【手続補正４６】
【補正対象書類名】明細書
【補正対象項目名】００４７
【補正方法】変更
【補正の内容】
【００４７】
請求項２４記載の発明は、請求項２３記載のレンズユニットにおいて、
前記カメラ装置に装着された状態で該カメラ装置と通信する通信手段を備え、
前記指示手段は、前記通信手段により前記カメラ装置から前記複数の光学素子の状態を制御する指示を受けることを特徴とする。
【手続補正４７】
【補正対象書類名】明細書
【補正対象項目名】００４８
【補正方法】変更
【補正の内容】
【００４８】
請求項２５記載の発明は、光学機器において、
請求項２３または２４に記載のレンズユニットを備えることを特徴とする。
【手続補正４８】
【補正対象書類名】明細書
【補正対象項目名】００４９
【補正方法】変更
【補正の内容】
【００４９】
請求項２６記載の発明は、複数の光学素子が光軸上に配置され、各々の光学素子の状態を電子制御手段によって個別に変化させることの可能なレンズユニットの光路に関する光学特性を制御するカメラであって、
撮影時における前記レンズユニット全体の光路に関する複数の光学特性のうちの指定された光学特性が、前記電子制御手段によって変化させることの可能な全範囲のうちの一部の範囲に収まるように、前記複数の光学素子の状態を制御することを指示する指示手段と、
撮影時において、前記指示手段により指示された光学特性が前記指示手段により指示された範囲内に収まるように、前記電子制御手段により変化させる前記複数の光学素子の状態を制御する撮影制御手段と、
を備えたことを特徴とする。
【手続補正４９】
【補正対象書類名】明細書
【補正対象項目名】００５０
【補正方法】変更
【補正の内容】
【００５０】
請求項２７記載の発明は、複数の光学素子が光軸上に配置され、各々の光学素子の状態を電子制御手段によって個別に変化させることの可能なカメラの光路に関する光学特性を制御するプログラムであって、
前記カメラを、
撮影時における前記レンズユニット全体の光路に関する複数の光学特性のうちの指定された光学特性が、前記電子制御手段によって変化させることの可能な全範囲のうちの一部の範囲に収まるように、前記複数の光学素子の状態を制御する指示を受ける指示手段と、
撮影時において、前記指示手段により指示された光学特性が前記指示手段により指示された範囲内に収まるように、前記電子制御手段により変化させる前記複数の光学素子の状態を制御する撮影制御手段と、
して機能させることを特徴とする。
【手続補正５０】
【補正対象書類名】明細書
【補正対象項目名】００５１
【補正方法】変更
【補正の内容】
【００５１】
本発明によれば、従来と異なり、レンズユニットを交換することなく広い範囲でレンズユニットの光学特性を調整することができ、ユーザーの指示に応じた所望の光学特性を容易に得ることができる。
【手続補正５１】
【補正対象書類名】明細書
【補正対象項目名】００５２
【補正方法】削除
【補正の内容】
【手続補正５２】
【補正対象書類名】明細書
【補正対象項目名】００５３
【補正方法】削除
【補正の内容】
【手続補正５３】
【補正対象書類名】明細書
【補正対象項目名】００５４
【補正方法】削除
【補正の内容】
【手続補正５４】
【補正対象書類名】明細書
【補正対象項目名】００５５
【補正方法】削除
【補正の内容】
【手続補正５５】
【補正対象書類名】明細書
【補正対象項目名】００５６
【補正方法】削除
【補正の内容】
【手続補正５６】
【補正対象書類名】明細書
【補正対象項目名】００５７
【補正方法】削除
【補正の内容】
【手続補正５７】
【補正対象書類名】明細書
【補正対象項目名】００５８
【補正方法】削除
【補正の内容】
【手続補正５８】
【補正対象書類名】明細書
【補正対象項目名】００５９
【補正方法】削除
【補正の内容】
【手続補正５９】
【補正対象書類名】明細書
【補正対象項目名】００６０
【補正方法】削除
【補正の内容】
【手続補正６０】
【補正対象書類名】明細書
【補正対象項目名】００６１
【補正方法】削除
【補正の内容】
【手続補正６１】
【補正対象書類名】明細書
【補正対象項目名】００６２
【補正方法】削除
【補正の内容】
【手続補正６２】
【補正対象書類名】明細書
【補正対象項目名】００６３
【補正方法】削除
【補正の内容】
【手続補正６３】
【補正対象書類名】明細書
【補正対象項目名】００６４
【補正方法】削除
【補正の内容】
【手続補正６４】
【補正対象書類名】明細書
【補正対象項目名】００６５
【補正方法】削除
【補正の内容】
【手続補正６５】
【補正対象書類名】明細書
【補正対象項目名】００６６
【補正方法】削除
【補正の内容】
【手続補正６６】
【補正対象書類名】明細書
【補正対象項目名】００６７
【補正方法】削除
【補正の内容】
【手続補正６７】
【補正対象書類名】明細書
【補正対象項目名】００６８
【補正方法】削除
【補正の内容】
【手続補正６８】
【補正対象書類名】明細書
【補正対象項目名】００６９
【補正方法】削除
【補正の内容】